(57)【要約】【課題】自販機において商品の過冷及び２庫共通冷却器の霜付きを防止する。【解決手段】第１及び第２商品庫２ａ，２ｂの両方を冷却する共通冷却器４ａと、両商品庫２ａ，２ｂの庫内空気を個別に攪拌する第１及び第２庫内ファン９ａ，９ｂを設け、共通冷却器４ａの冷却運転下において、両商品庫２ａ，２ｂの庫内温度ｔｉがともに設定下限温度より高いときには、第１及び第２庫内ファン９ａ，９ｂの両方を単位時間当りの送風量が大きい庫内冷却促進モードで運転し、一方の商品庫９ａ（又は９ｂ）の庫内温度ｔｉが設定下限温度より低く、かつ、他方の商品庫９ｂ（又は９ａ）の庫内温度ｔｉが設定下限温度より高いときには、高温側商品庫の庫内ファン９ｂ（又は９ａ）を庫内冷却促進モードで運転するのに対し、低温側商品庫の庫内ファン９ａ（又は９ｂ）を庫内冷却促進モードでの運転時よりも単位時間当りの送風量が小さい庫内冷却制限モードで運転する制御手段１５を設ける。【選択図】　　　　図１
2004078355.tif 000002
【特許請求の範囲】
【請求項１】
払い出し対象商品を収納する第１及び第２商品庫の両方の庫内を冷却する共通の冷却器を設けるとともに、第１商品庫の庫内空気及び第２商品庫の庫内空気を個別に攪拌する第１及び第２庫内ファンを設け、
第１及び第２商品庫の庫内温度がともに設定下限温度より低くなったとき前記共通冷却器を冷却運転状態から運転停止状態に切り換え、かつ、第１及び第２商品庫のうち少なくともいずれか一方の商品庫の庫内温度が設定上限温度より高くなったとき前記共通冷却器を運転停止状態から冷却運転状態に復帰させる制御手段を設けてある自動販売機であって、
前記制御手段を、前記共通冷却器が冷却運転状態にあるときにおいて、
第１及び第２商品庫の庫内温度がともに設定下限温度より高い両庫未降温状態のときには、第１及び第２庫内ファンの両方を単位時間当りの送風量が大きい庫内冷却促進モードで運転し、
第１及び第２商品庫のうち一方の商品庫の庫内温度が設定下限温度より低く、かつ、他方の商品庫の庫内温度が設定下限温度より高い片庫降温状態のときには、第１及び第２庫内ファンのうち高温側商品庫の庫内ファンを庫内冷却促進モードで運転するのに対し、低温側商品庫の庫内ファンを庫内冷却促進モードでの運転時よりも単位時間当りの送風量が小さい庫内冷却制限モードで運転する構成にしてある自動販売機。
【請求項２】
前記制御手段を、前記庫内冷却制限モードでの庫内ファンの運転において、その庫内ファンの単位時間当りの送風量を対応商品庫の庫内温度に応じて、又は、前記共通冷却器での霜付き発生状態に応じて変更する構成にしてある請求項１記載の自動販売機。
【請求項３】
前記制御手段を、前記庫内冷却促進モードでは対象の庫内ファンを連続運転するのに対し、前記庫内冷却制限モードでは対象の庫内ファンを断続的に運転することで、その庫内ファンの単位時間当りの送風量を庫内冷却促進モードでの運転時よりも減少させる構成にしてある請求項１又は２記載の自動販売機。
【請求項４】
前記制御手段を、前記庫内冷却制限モードでの運転では対象庫内ファンの回転数を前記庫内冷却促進モードでの運転時よりも低下させることで、その庫内ファンの単位時間当りの送風量を庫内冷却促進モードでの運転時よりも減少させる構成にしてある請求項１又は２記載の自動販売機。
【請求項５】
払い出し対象商品を収納する第１及び第２商品庫の両方の庫内を冷却する共通の冷却器を設けるとともに、第１商品庫の庫内空気及び第２商品庫の庫内空気を個別に攪拌する第１及び第２庫内ファンを設け、
第１及び第２商品庫の庫内温度がともに設定下限温度より低くなったとき前記共通冷却器を冷却運転状態から運転停止状態に切り換え、かつ、第１及び第２商品庫のうち少なくともいずれか一方の商品庫の庫内温度が設定上限温度より高くなったとき前記共通冷却器を運転停止状態から冷却運転状態に復帰させる制御手段を設けてある自動販売機であって、
前記制御手段を、前記共通冷却器が冷却運転状態にあるときにおいて、
第１及び第２商品庫の庫内温度がともに設定下限温度より高い両庫未降温状態のときには、第１及び第２庫内ファンの両方を継続的に運転し、
第１及び第２商品庫のうち一方の商品庫の庫内温度が設定下限温度より低く、かつ、他方の商品庫の庫内温度が設定下限温度より高い片庫降温状態のときには、第１及び第２庫内ファンのうち高温側商品庫の庫内ファンを継続的に運転するのに対し、低温側商品庫の庫内ファンを前記共通冷却器での霜付き発生時に限って限定的に運転する構成にしてある自動販売機。
【発明の詳細な説明】
【０００１】
【発明の属する技術分野】
本発明は、払い出し対象商品を商品庫内で冷却する自動販売機に関し、詳しくは、
払い出し対象商品を収納する第１及び第２商品庫の両方の庫内を冷却する共通の冷却器を設けるとともに、第１商品庫の庫内空気及び第２商品庫の庫内空気を個別に攪拌する第１及び第２庫内ファンを設け、
第１及び第２商品庫の庫内温度がともに設定下限温度より低くなったとき前記共通冷却器を冷却運転状態から運転停止状態に切り換え、かつ、第１及び第２商品庫のうち少なくともいずれか一方の商品庫の庫内温度が設定上限温度より高くなったとき前記共通冷却器を運転停止状態から冷却運転状態に復帰させる制御手段を設けてある自動販売機に関する。
【０００２】
【従来の技術】
この種の自動販売機は、第１及び第２商品庫両方の庫内冷却を共通の冷却器により行うことで、冷却器の装備数を少なくして装置の簡略化を図ったものであるが、従来、この種の自動販売機では、その共通冷却器が冷却運転状態にあるときにおける庫内ファンの運転については、次の（イ），（ロ）のいずれかの運転形態を採っていた。
【０００３】
（イ）共通冷却器が冷却運転状態にあるとき（すなわち、第１及び第２商品庫のうち少なくともいずれか一方の商品庫の庫内温度が設定上限温度より高くなって共通冷却器が冷却運転状態に切り換えられてから、それら商品庫の庫内温度がともに設定下限温度より低くなって共通冷却器が運転停止状態に切り換えられるに至るまでの間、略言すれば、第１及び第２商品庫のうち少なくとも一方の商品庫の庫内温度が未だ設定下限温度より高いとき）には、第１及び第２庫内ファンの夫々を庫内空気攪拌による庫内冷却促進のための大きな単位時間当り送風量で運転する。
【０００４】
（ロ）共通冷却器が冷却運転状態にあるときで、第１及び第２商品庫の庫内温度がともに設定下限温度より未だ高い状態（以下、両庫未降温状態と称す）のときには、第１及び第２庫内ファンの夫々を庫内空気攪拌による庫内冷却促進のための大きな単位時間当り送風量で運転し、一方、共通冷却器が冷却運転状態にあるときで、第１及び第２商品庫のうち一方の商品庫の庫内温度が既に設定下限温度より低くて、他方の商品庫の庫内温度のみが未だ設定下限温度より高い状態（以下、片庫降温状態と称す）のときには、第１及び第２庫内ファンのうち低温側商品庫の庫内ファンは停止して、高温側商品庫の庫内ファンのみを庫内空気攪拌による庫内冷却促進のための大きな単位時間当り送風量で運転する。
【０００５】
【発明が解決しようとする課題】
しかし、上記（イ）の運転形態を採る従来の自動販売機では、共通冷却器が冷却運転状態にあるときで、第１及び第２商品庫のうち一方の商品庫の庫内温度が既に設定下限温度より低い片庫降温状態のとき、その一方の低温側商品庫についても他方の高温側商品庫と同様に、共通冷却器の冷却運転下において庫内ファンを庫内冷却促進のための大きな単位時間当り送風量で運転するため、既に低温である低温側商品庫の庫内温度がさらに低下してしまい、このことで、その低温側商品庫において収納商品の過冷を招き易い問題があった。
【０００６】
一方、上記（ロ）の運転形態を採る従来の自動販売機では、共通冷却器が冷却運転状態にあるときで前記の片庫降温状態のときには、低温側商品庫の庫内ファンを停止することから、上記の如き収納商品の過冷の問題は回避できるものの、その片庫降温状態のとき、低温側商品庫の庫内ファンが停止されてその商品庫での庫内空気攪拌が停止されることで庫内空気に対する共通冷却器の放冷効率が低下し、この為に、冷却運転状態にある共通冷却器に霜付きが発生して運転支障を招き易い問題があった。
【０００７】
この実情に鑑み、本発明の主たる課題は、庫内ファンの運転について合理的な運転形態を採ることで、上記問題を効果的に解消する点にある。
【０００８】
【課題を解決するための手段】
〔１〕請求項１に係る発明は自動販売機に係り、その特徴は、
払い出し対象商品を収納する第１及び第２商品庫の両方の庫内を冷却する共通の冷却器を設けるとともに、第１商品庫の庫内空気及び第２商品庫の庫内空気を個別に攪拌する第１及び第２庫内ファンを設け、
第１及び第２商品庫の庫内温度がともに設定下限温度より低くなったとき前記共通冷却器を冷却運転状態から運転停止状態に切り換え、かつ、第１及び第２商品庫のうち少なくともいずれか一方の商品庫の庫内温度が設定上限温度より高くなったとき前記共通冷却器を運転停止状態から冷却運転状態に復帰させる制御手段を設けてある自動販売機において、
前記制御手段を、前記共通冷却器が冷却運転状態にあるときにおいて、
第１及び第２商品庫の庫内温度がともに設定下限温度より高い両庫未降温状態のときには、第１及び第２庫内ファンの両方を単位時間当りの送風量が大きい庫内冷却促進モードで運転し、
第１及び第２商品庫のうち一方の商品庫の庫内温度が設定下限温度より低く、かつ、他方の商品庫の庫内温度が設定下限温度より高い片庫降温状態のときには、第１及び第２庫内ファンのうち高温側商品庫の庫内ファンを庫内冷却促進モードで運転するのに対し、低温側商品庫の庫内ファンを庫内冷却促進モードでの運転時よりも単位時間当りの送風量が小さい庫内冷却制限モードで運転する構成にしてある点にある。
【０００９】
つまり、この構成によれば、共通冷却器が冷却運転状態にあるときで上記の両庫未降温状態のときの第１及び第２商品庫の両方、並びに、共通冷却器が冷却運転状態にあるときで上記の片庫降温状態のときの第１及び第２商品庫のうちの高温側の商品庫については、先述した（イ），（ロ）の運転形態を採る従来の自動販売機と同様、それら商品庫の庫内温度が未だ設定下限温度よりも高いことに対し、各々の対応庫内ファンを単位時間当りの送風量が大きい庫内冷却促進モードで運転することにより、共通冷却器の冷却運転下での十分な庫内空気攪拌をもって庫内冷却を促進し、これにより、それら商品庫の収納商品を良好に冷却することができる。
【００１０】
そしてまた、共通冷却器が冷却運転状態にあるときで上記の片庫降温状態のときの第１及び第２商品庫のうちの低温側の商品庫については、庫内温度が既に設定下限温度よりも低いことに対し、その低温側商品庫の庫内ファンを庫内冷却促進モードでの運転時よりも単位時間当りの送風量が小さい庫内冷却制限モードで運転することにより、適度な庫内空気攪拌で庫内空気に対する共通冷却器の放冷効率を一定以上に保ちながら、庫内空気攪拌による庫内冷却の促進を制限してそれ以上の庫内温度低下を抑止することができる。
【００１１】
すなわち、このように庫内空気に対する共通冷却器の放冷効率を一定以上に保ちながら、庫内空気攪拌による庫内冷却の促進を制限してそれ以上の庫内温度低下を抑止できることにより、先述の（イ）の運転形態を採る従来の自動販売機において片庫降温状態のときに生じ易かった低温側商品庫での収納商品の過冷を効果的に防止しながら、先述の（ロ）の運転形態を採る従来の自動販売機において片庫降温状態のときに生じ易かった共通冷却器での霜付き発生も効果的に防止することができ、この点で、従来の自動販売機に比べ一層優れた自動販売機にすることができる。
【００１２】
なお、請求項１に係る発明の実施にあたり、庫内ファンの単位時間当り送風量を庫内冷却制限モードでの運転時において庫内冷却促進モードでの運転時よりもどの程度減少させるかは、片庫降温状態時において収納商品の過冷を防止しながら共通冷却器での霜付き発生も防止するという所期目的の達成上で種々の条件に応じて適当に決定すればよい。
【００１３】
〔２〕請求項２に係る発明は、請求項１に係る発明の実施に好適な実施形態を特定するものであり、その特徴は、
前記制御手段を、前記庫内冷却制限モードでの庫内ファンの運転において、その庫内ファンの単位時間当りの送風量を対応商品庫の庫内温度に応じて、又は、前記共通冷却器での霜付き発生状態に応じて変更する構成にしてある点にある。
【００１４】
つまり、この構成によれば、庫内冷却制限モードで運転する庫内ファンの単位時間当り送風量を対応商品庫の庫内温度に応じて変更する場合には、対応商品庫の庫内温度が低くなるほど単位時間当り送風量を減少側に変更する形態を採ることにより、また、庫内冷却制限モードで運転する庫内ファンの単位時間当り送風量を共通冷却器での霜付き発生状態に応じて変更する場合には、共通冷却器での霜付き発生がより明確に認められるほど単位時間当り送風量を増大側に変更する形態を採ることにより、庫内冷却制限モードで運転する庫内ファンの単位時間当り送風量を１つの風量値に固定的に設定しておく場合に比べ、設定誤差による不適切な対応を回避した状態で、実際の庫内温度の低下や実際の霜付き発生に対しより適切かつ柔軟に対応することができ、これにより、前記の片庫降温状態時における低温側商品庫での収納商品の過冷や共通冷却器での霜付き発生を一層効果的に防止することができる。
【００１５】
なお、請求項２に係る発明の実施において、庫内冷却制限モードで運転する庫内ファンの単位時間当り送風量を変更するのに、その方式としては、対象庫内ファンの回転数を変更する方式や、対象庫内ファンの断続運転において作動時間と停止時間との比（いわゆるＯＮ・ＯＦＦ時間比）を変更する方式など、種々の方式を採ることができる。
【００１６】
また、庫内冷却制限モードで運転する庫内ファンの単位時間当りの送風量を共通冷却器での霜付き発生状態に応じて変更する場合、共通冷却器での霜付き発生状態を検出する手段としては、共通冷却器の伝熱面温度を検出して、その検出伝熱面温度の変化に基づき霜付き発生状態を検出する方式のものや、共通冷却器の空気側伝熱面における水分量を検出して、その検出水分量の変化に基づき霜付き発生状態を検出する方式のもの、あるいは、共通冷却器における流通冷熱媒（例えば冷凍回路の蒸発器を共通冷却器とする場合では蒸発器における流通冷媒）の温度や圧力等の状態値を検出して、その検出状態値の変化に基づき霜付き発生状態を検出する方式のものなど、種々の検出方式のものを適用できる。
【００１７】
〔３〕請求項３に係る発明は、請求項１又は２に係る発明の実施に好適な実施形態を特定するものであり、その特徴は、
前記制御手段を、前記庫内冷却促進モードでは対象の庫内ファンを連続運転するのに対し、前記庫内冷却制限モードでは対象の庫内ファンを断続的に運転することで、その庫内ファンの単位時間当りの送風量を庫内冷却促進モードでの運転時よりも減少させる構成にしてある点にある。
【００１８】
つまり、この構成によれば、庫内ファンの単位時間当り送風量（換言すれば、平均の送風量）を減少させる庫内冷却制限モードでの運転時においても、上記の断続的な運転における庫内ファンの作動期間中は、庫内ファンの送風量を大きく確保して、極力庫内の広範囲にわたる庫内空気攪拌を対応商品庫において実施でき、これにより、庫内ファンを庫内冷却制限モードで運転しているときの対応商品庫での庫内温度ムラの発生を抑止することができて、庫内均温性を高めることができる。
【００１９】
〔４〕請求項４に係る発明は、請求項１又は２に係る発明の実施に好適な実施形態を特定するものであり、その特徴は、
前記制御手段を、前記庫内冷却制限モードでの運転では対象庫内ファンの回転数を前記庫内冷却促進モードでの運転時よりも低下させることで、その庫内ファンの単位時間当りの送風量を庫内冷却促進モードでの運転時よりも減少させる構成にしてある点にある。
【００２０】
つまり、この構成によれば、庫内冷却制限モードでの運転において庫内ファンの単位時間当り送風量を庫内冷却促進モードでの運転時よりも減少させるのに、ファン回転数の低下により庫内ファンの単位時間当り送風量を減少させるから、庫内冷却制限モードでの運転時にも、対応商品庫での庫内空気攪拌を弱いながらも連続的に保って、庫内空気に対する共通冷却器の放冷効率を一定以上の状態に連続的かつ安定的に保つことができ、これにより、前記の片庫降温状態時における共通冷却器での霜付き発生を一層効果的かつ確実に防止することができる。
【００２１】
〔５〕請求項５に係る発明は自動販売機に係り、その特徴は、
払い出し対象商品を収納する第１及び第２商品庫の両方の庫内を冷却する共通の冷却器を設けるとともに、第１商品庫の庫内空気及び第２商品庫の庫内空気を個別に攪拌する第１及び第２庫内ファンを設け、
第１及び第２商品庫の庫内温度がともに設定下限温度より低くなったとき前記共通冷却器を冷却運転状態から運転停止状態に切り換え、かつ、第１及び第２商品庫のうち少なくともいずれか一方の商品庫の庫内温度が設定上限温度より高くなったとき前記共通冷却器を運転停止状態から冷却運転状態に復帰させる制御手段を設けてある自動販売機において、
前記制御手段を、前記共通冷却器が冷却運転状態にあるときにおいて、
第１及び第２商品庫の庫内温度がともに設定下限温度より高い両庫未降温状態のときには、第１及び第２庫内ファンの両方を継続的に運転し、
第１及び第２商品庫のうち一方の商品庫の庫内温度が設定下限温度より低く、かつ、他方の商品庫の庫内温度が設定下限温度より高い片庫降温状態のときには、第１及び第２庫内ファンのうち高温側商品庫の庫内ファンを継続的に運転するのに対し、低温側商品庫の庫内ファンを前記共通冷却器での霜付き発生時に限って限定的に運転する構成にしてある点にある。
【００２２】
つまり、この構成によれば、共通冷却器が冷却運転状態にあるときで上記の両庫未降温状態のときの第１及び第２商品庫の両方、並びに、共通冷却器が冷却運転状態にあるときで上記の片庫降温状態のときの第１及び第２商品庫のうちの高温側の商品庫については、先述した（イ），（ロ）の運転形態を採る従来の自動販売機と同様、それら商品庫の庫内温度が未だ設定下限温度よりも高いことに対し、各々の対応庫内ファンを継続的に運転することにより、共通冷却器の冷却運転下での継続的な庫内空気攪拌をもって庫内冷却を促進し、これにより、それら商品庫の収納商品を良好に冷却することができる。
【００２３】
そしてまた、共通冷却器が冷却運転状態にあるときで上記の片庫降温状態のときの第１及び第２商品庫のうちの低温側の商品庫については、庫内温度が既に設定下限温度よりも低いことに対し、その低温側商品庫の庫内ファンを共通冷却器での霜付き発生時に限って限定的に運転することにより、その霜付き発生時の限定的なファン運転による庫内空気の攪拌で庫内空気に対する共通冷却器の放冷効率を回復させて、共通冷却器で発生した霜付きを解消するようにしながらも、霜付き発生時以外における庫内空気攪拌の停止をもってそれ以上の庫内温度低下を抑止することができ、この点で、請求項１に係る発明と同様に、先述（イ），（ロ）の運転形態を採る従来の自動販売機に比べ一層優れた自動販売機にすることができる。
【００２４】
なお、請求項５に係る発明に実施において、低温側商品庫の庫内ファンを共通冷却器での霜付き発生時に限って限定的に運転するのに、その霜付き発生を検出する手段としては、請求項２に係る発明の場合と同様、共通冷却器の伝熱面温度を検出して、その検出伝熱面温度の変化に基づき霜付き発生を検出する方式のものや、共通冷却器の空気側伝熱面における水分量を検出して、その検出水分量の変化に基づき霜付き発生を検出する方式のもの、あるいは、共通冷却器における流通冷熱媒（例えば冷凍回路の蒸発器を共通冷却器とする場合では蒸発器における流通冷媒）の温度や圧力等の状態値を検出して、その検出状態値の変化に基づき霜付き発生を検出する方式のものなど、種々の検出方式のものを適用できる。
【００２５】
【発明の実施の形態】
図１は、缶飲料やペットボトル飲料を販売する自動販売機を示し、機体１の内部には、払い出し対象商品を収納する断熱構造の第１〜第３の商品庫２ａ〜２ｃを形成してあり、また、機体１の内部で商品庫２ａ〜２ｃの下方には外気流通を許す構造の機器室３を形成し、この機器室３には、商品庫２ａ，２ｃに装備した庫内冷却器としての蒸発器４ａ，４ｃとともに蒸気圧縮式の冷凍回路Ｒを構成する凝縮器５及び圧縮機６、並びに、凝縮器５に対し放熱源としての外気を通風する外気ファン７を内装してある。
【００２６】
第１商品庫２ａには庫内を冷却する上記蒸発器４ａを内装し、第２商品庫２ｂには庫内を加熱する加熱器８ｂを内装し、第３商品庫２ｃには庫内を冷却する上記蒸発器４ｃ及び庫内を加熱する加熱器８ｃを内装してあり、さらに、第１〜第３商品庫２ａ〜２ｃの夫々には、庫内の空気を庫内装備の蒸発器４ａ，４ｃや加熱器８ｂ，８ｃに対して通風する形態で庫内循環させて攪拌する第１〜第３の庫内ファン９ａ〜９ｃを内装してある。
【００２７】
また、第１商品庫２ａと第２商品庫２ｂとの間の隔壁には、両庫２ａ，２ｂを連通させる連通路ｆ、及び、その連通路ｆを開閉するシャッター装置１０を設けてある。
【００２８】
つまり、第１商品庫２ａは蒸発器４ａにより庫内を冷却して収納商品を冷却する冷却専用庫にしてあり、一方、第２商品庫２ｂは、加熱器８ｂを運転停止した状態でシャッター装置１０を連通路開き状態にして第１商品庫２ａに対し第２商品庫２ｂを連通路ｆを通じ連通させることにより、第１商品庫２ａの蒸発器４ａをもって第１及び第２商品庫２ａ，２ｂの両方の庫内を冷却する形態で庫内を冷却して収納商品を冷却する冷却庫と、シャッター装置１０を連通路閉じ状態にして第１商品庫２ａとの連通を断った状態で加熱器８ｂにより庫内を加熱して収納商品を加熱する加熱庫とに切り換え使用するようにしてある。
【００２９】
また、第３商品庫２ｃは、加熱器８ｃを運転停止した状態で蒸発器４ｃより庫内を冷却して収納商品を冷却する冷却庫と、蒸発器４ｃを運転停止した状態で加熱器８ｃにより庫内を加熱して収納商品を加熱する加熱庫とに切り換え使用するようにしてある。
【００３０】
第１商品庫２ａの蒸発器４ａと第３商品庫２ｃの蒸発器４ｃとは冷凍回路Ｒにおいて冷媒経路上で並列に配置してあり、そして、冷凍回路Ｒには、第１商品庫２ａの蒸発器４ａに対する電子制御膨張弁１１、並びに、第３商品庫２ｃの蒸発器４ｃに対する開閉弁Ｖ及びキャピラリーチューブＣを装備してある。
【００３１】
１２ａ〜１２ｃは各商品庫２ａ〜２ｃの庫内温度ｔｉを検出する庫温センサ、１３ａは第１商品庫２ａの蒸発器４ａにおける冷媒入口での冷媒温度ｔｒｉを検出する入口冷媒温度センサ、１３ｂは第１商品庫２ａの蒸発器４ａにおける冷媒出口での冷媒温度ｔｒｏを検出する出口冷媒温度センサである。
【００３２】
また、１５は制御装置であり、この制御装置１５は各センサの検出情報に基づき次の（ａ）〜（ｄ）の各制御を実行する。
【００３３】
（ａ）冷却庫温調制御
第２商品庫２ｂが冷却庫としての使用を指定されているときには、シャッター装置１０を連通路開き状態にして、第１商品庫２ａに対し第２商品庫２ｂを連通路ｆを通じて連通させ、その状態で、第１及び第２商品庫２ａ，２ｂについて、庫温センサ１２ａにより検出される第１商品庫２ａの庫内温度ｔｉと庫温センサ１２ｂにより検出される第２商品庫２ｂの庫内温度ｔｉとの両方が目標冷却温度範囲の設定下限温度ｔｉ１より低温になると、電子制御膨張弁１１を閉弁して、第１商品庫２ａの蒸発器４ａを冷却運転状態から運転停止状態に切り換える。
【００３４】
また、庫温センサ１２ａにより検出される第１商品庫２ａの庫内温度ｔｉと庫温センサ１２ｂにより検出される第２商品庫２ｂの庫内温度ｔｉとの少なくともいずれか一方が目標冷却温度範囲の設定上限温度ｔｉ２より高温になると、電子制御膨張弁１１を開弁して、第１商品庫２ａの蒸発器４ａを運転停止状態から冷却運転状態に復帰させる。
【００３５】
これに対し、第２商品庫２ａが加熱庫としての使用を指定されているときには、シャッター装置１０を連通路閉じ状態にして、冷却専用庫である第１商品庫２ａと第２商品庫２ｂとの連通路ｆを通じての連通を断ち、その状態で、第１商品庫２ａについて、庫温センサ１２ａにより検出される第１商品庫２ａの庫内温度ｔｉが目標冷却温度範囲の設定下限温度ｔｉ１より低温になると、電子制御膨張弁１１を閉弁して、第１商品庫２ａの蒸発器４ａを冷却運転状態から運転停止状態に切り換え、また、庫温センサ１２ａにより検出される第１商品庫２ａの庫内温度ｔｉが目標冷却温度範囲の設定上限温度ｔｉ２より高温になると、電子制御膨張弁１１を開弁して、第１商品庫２ａの蒸発器４ａを運転停止状態から冷却運転状態に復帰させる。
【００３６】
一方、第３商品庫２ｃについては、それが冷却庫としての使用を指定されているとき、庫温センサ１２ｃにより検出される庫内温度ｔｉが目標冷却温度範囲の設定下限温度ｔｉ１より低温になると、開閉弁Ｖを閉弁して第３商品庫２ｃの蒸発器４ｃを冷却運転状態から運転停止状態に切り換え、また、庫温センサ１２ｃにより検出される庫内温度ｔｉが目標冷却温度範囲の設定上限温度ｔｉ２より高温になると、開閉弁Ｖを開弁して第３商品庫２ｃの蒸発器４ｃを運転停止状態から冷却運転状態に復帰させる。
【００３７】
すなわち、この冷却庫温調制御により、冷却庫として使用されている商品庫の庫内温度ｔｉを極力、目標冷却温度範囲ｔｉ１〜ｔｉ２の範囲内に保つようにする。
【００３８】
なお、電子制御膨張弁１１及び開閉弁Ｖの両方を閉弁して全ての蒸発器４ａ，４ｃを運転停止状態にする際には、次に電子制御膨張弁１１と開閉弁Ｖとの少なくともいずれか一方を開弁して少なくとも１つの蒸発器４ａ，４ｃを冷却運転状態に復帰させるときまで、圧縮機６を停止して冷凍回路Ｒの運転そのものを停止する。
【００３９】
（ｂ）加熱庫温調制御
第２商品庫２ｂが加熱庫としての使用を指定されているときには、シャッター装置１０を連通路閉じ状態にして第１商品庫２ａと第２商品庫２ｂとの連通を断ち、その状態で、庫温センサ１２ｂにより検出される第２商品庫２ｂの庫内温度ｔｉが目標加熱温度範囲の設定上限温度ｔｉ４より高温になると、第２商品庫の加熱器８ｂを加熱運転状態から運転停止状態に切り換え、また、庫温センサ１２ｂにより検出される第２商品庫２ｂの庫内温度ｔｉが目標加熱温度範囲の設定下限温度ｔｉ３より低温になると、第２商品庫の加熱器８ｂを運転停止状態から加熱運転状態に復帰させる。
【００４０】
同様に、第３商品庫２ｃが加熱庫としての使用を指定されているときには、対応蒸発器４ｃの運転停止状態の下で、庫温センサ１２ｃにより検出される第３商品庫２ｃの庫内温度ｔｉが目標加熱温度範囲の設定上限温度ｔｉ４より高温になると、第３商品庫の加熱器８ｃを加熱運転状態から運転停止状態に切り換え、また、庫温センサ１２ｃにより検出される第３商品庫２ｃの庫内温度ｔｉが目標加熱温度範囲の設定下限温度ｔｉ３より低温になると、第３商品庫の加熱器８ｃを運転停止状態から加熱運転状態に復帰させる。
【００４１】
すなわち、この加熱庫温調制御により、加熱庫として使用されている商品庫の庫内温度ｔｉを目標加熱温度範囲ｔｉ３〜ｔｉ４の範囲内に保つようにする。
【００４２】
（ｃ）過熱度調整制御
第１商品庫２ａの蒸発器４ａが冷却運転状態にあるときには、出口冷媒温度センサ１３ｂにより検出される出口冷媒温度ｔｒｏから入口冷媒温度センサ１３ａにより検出される入口冷媒温度ｔｒｉを減算して、第１商品庫２ａの蒸発器４ａにおける冷媒出口での冷媒過熱度Ｓ（＝ｔｒｏ―ｔｒｉ）を算出し、そして、算出した冷媒過熱度Ｓに応じ電子制御膨張弁１１の開度を調整して、第１商品庫２ａの蒸発器４ａにおける冷媒出口での冷媒過熱度Ｓを目標過熱度Ｓｍに調整する。
【００４３】
（ｄ）庫内ファン制御
第２商品庫２ｂが冷却庫としての使用を指定されている状況（すなわち、シャッター装置１０を連通路開き状態にして第１商品庫２ａに対し第２商品庫２ｂを連通路ｆを通じて連通させた状況）において、第１商品庫２ａの蒸発器４ａが前記の冷却庫温調制御により冷却運転状態にあるときで、庫温センサ１２ａにより検出される第１商品庫２ａの庫内温度ｔｉと庫温センサ１２ｂにより検出される第２商品庫２ｂの庫内温度ｔｉとの両方が目標冷却温度範囲の設定下限温度ｔｉ１より高い両庫未降温状態のときには、第１及び第２庫内ファン９ａ，９ｂの両方を庫内冷却促進モードでの運転として大きな設定単位時間当り送風量で連続運転する。
【００４４】
また、第２商品庫２ｂが冷却庫としての使用を指定されている状況において、第１商品庫２ａの蒸発器４ａが前記の冷却庫温調制御により冷却運転状態にあるときで、庫温センサ１２ａにより検出される第１商品庫２ａの庫内温度ｔｉと庫温センサ１２ｂにより検出される第２商品庫２ｂの庫内温度ｔｉとのうちの一方が目標冷却温度範囲の設定下限温度ｔｉ１より低く、かつ、他方が目標冷却温度範囲の設定下限温度ｔｉ１より高い片庫降温状態のときには、第１及び第２庫内ファン９ａ，９ｂのうち高温側商品庫（庫内温度ｔｉが設定下限温度ｔｉ１より高い方の商品庫）の庫内ファンを、両庫未降温状態のときと同じく庫内冷却促進モードでの運転として大きな単位時間当り送風量で連続運転し、これに対し、低温側商品庫（庫内温度ｔｉが設定下限温度ｔｉ１より低い方の商品庫）の庫内ファンを、庫内冷却促進モードでの運転時よりも単位時間当り送風量を小さくした庫内冷却制限モードでの運転として、設定ＯＮ・ＯＦＦ時間比で断続運転（作動時のファン回転数は庫内冷却促進モードでの運転時と同じ）する。
【００４５】
すなわち、このように片庫降温状態のときに第１及び第２商品庫２ａ，２ｂのうち低温側商品庫の庫内ファン（本実施形態では通常、第１商品庫２ａの庫内ファン９ａ）を両庫未降温状態のときよりも単位時間当り送風量の小さい状態で運転することにより、その低温側商品庫において収納商品の過冷を招くことを防止しながら、第１及び第２商品庫２ａ，２ｂの両方の庫内を冷却する共通冷却器としての蒸発器４ａにおいて霜付きが発生することも防止する。
【００４６】
なお、第２商品庫２ｂが加熱庫としての使用を指定されているときの第１庫内ファン９ａ、及び、第３商品庫２ｃが冷却庫としての使用を指定されているときの第３庫内ファン９ｃについては、対応商品庫２ａ，２ｃの蒸発器４ａ，４ｃが前記の冷却庫温調制御により冷却運転状態にある間、庫内冷却促進モードでの運転として大きな設定単位時間当り送風量で連続運転する。
【００４７】
また同様に、第２商品庫２ｂが加熱庫としての使用を指定されているときの第２庫内ファン９ｂ、及び、第３商品庫２ｃが加熱庫としての使用を指定されているときの第３庫内ファン９ｃについては、対応商品庫２ｂ，２ｃの加熱器８ｂ，８ｃが前記の加熱庫温調制御により加熱運転状態にある間、庫内加熱促進モードでの運転として大きな設定単位時間当り送風量で連続運転する。
【００４８】
以上要するに、本実施形態において、制御装置１５は、第１及び第２商品庫２ａ，２ｂの庫内温度がともに設定下限温度ｔｉ１より低くなったとき共通冷却器としての蒸発器４ａを冷却運転状態から運転停止状態に切り換え、かつ、第１及び第２商品庫２ａ，２ｂのうち少なくともいずれか一方の商品庫の庫内温度ｔｉが設定上限温度ｔｉ２より高くなったとき共通冷却器としての蒸発器４ａを運転停止状態から冷却運転状態に復帰させる制御手段を構成する。
【００４９】
そして、この制御装置１５は、共通冷却器としての蒸発器４ａが冷却運転状態にあるときにおいて、第１及び第２商品庫２ａ，２ｂの庫内温度ｔｉがともに設定下限温度ｔｉ１より高い両庫未降温状態のときには、第１及び第２庫内ファン９ａ，９ｂの両方を単位時間当りの送風量が大きい庫内冷却促進モードで運転し、第１及び第２商品庫２ａ，２ｂのうち一方の商品庫の庫内温度ｔｉが設定下限温度ｔｉ１より低く、かつ、他方の商品庫の庫内温度ｔｉが設定下限温度ｔｉ１より高い片庫降温状態のときには、第１及び第２庫内ファン９ａ，９ｂのうち高温側商品庫の庫内ファン９ｂ（又は９ａ）を庫内冷却促進モードで運転するのに対し、低温側商品庫の庫内ファン９ａ（又は９ｂ）を庫内冷却促進モードでの運転時よりも単位時間当りの送風量が小さい庫内冷却制限モードで運転する構成にしてある。
【００５０】
〔別の実施形態〕
次に別実施形態を列記する。
【００５１】
前述の実施形態では、第１商品庫２ａと第２商品庫２ｂとを連通路ｆを通じて連通させることで、第１商品庫２ａの庫内に装備した共通冷却器としての蒸発器４ａにより第１及び第２商品庫２ａ，２ｂの両方の庫内を冷却するようにしたが、これに代え、図２に示す如く、共通冷却器としての蒸発器４ａの一部ｘに対し第１庫内ファン９ａによる第１商品庫２ａの庫内循環空気を通風するとともに、その蒸発器４ａの他部ｙに対し第２庫内ファン９ｂによる第２商品庫２ｂの庫内循環空気を仕切り１６により第１商品庫２ａの庫内空気との混合を阻止した状態で通風することにより、その蒸発器４ａをもって第１及び第２商品庫２ａ，２ｂの両方の庫内を冷却するようにし、そして、この構成において第１及び第２商品庫２ａ，２ｂに対し前述の冷却庫温調制御及び庫内ファン制御を実施するようにしてもよい。
【００５２】
なお、図２において、１７は第２庫内ファン９ｂによる第２商品庫２ａの庫内循環空気を蒸発器４ａの上記他部ｙに対して通風するための図中実線で示す切り換え状態と、第２庫内ファン９ｂによる第２商品庫２ａの庫内循環空気を蒸発器４ａの上記他部ｙに対して非通過の状態で庫内循環させるための図中鎖線で示す切り換え状態とに切り換え操作自在なダンパ装置であり、第１及び第２商品庫２ａ，２ｂの両方を冷却庫としてそれら商品庫２ａ，２ｂの両方の庫内を蒸発器４ａにより冷却する場合には、ダンパ装置１７を実線で示す切り換え状態にするのに対し、第１商品庫２ａを冷却庫としてその庫内を蒸発器４ａにより冷却し、かつ、第２商品庫２ｂを加熱庫としてその庫内を加熱器８ｂにより加熱する場合には、ダンパ装置１７を鎖線で示す切り換え状態にする。
【００５３】
前述の実施形態では、庫内冷却制限モードでの運転時における庫内ファン９ａ又は９ｂの単位時間当り送風量を庫内冷却促進モードでの運転時よりも減少させるのに、庫内冷却促進モードでの運転では対象の庫内ファン９ａ又は９ｂを連続運転するのに対し、庫内冷却制限モードでは対象の庫内ファン９ａ又は９ｂを断続的に運転することで、その庫内ファン９ａ又は９ｂの単位時間当りの送風量を庫内冷却促進モードでの運転時より減少させるようにしたが、これに代え、庫内冷却制限モードでの運転では対象庫内ファン９ａ又は９ｂの回転数を庫内冷却促進モードでの運転時よりも低下させることで、その庫内ファン９ａ又は９ｂの単位時間当りの送風量を庫内冷却促進モードでの運転時より減少させるようにしてもよい。
【００５４】
また、前述の実施形態では、庫内冷却制限モードでの運転時における庫内ファン９ａ又は９ｂの単位時間当り送風量（平均送風量）を一定に保つ例を示したが、場合によっては、庫内冷却制限モードでの庫内ファン９ａ又は９ｂの運転において、対応商品庫２ａ又は２ｂの庫内温度ｔｉが低くなるほど単位時間当り送風量を減少側に変更する形態で、対象庫内ファン９ａ又は９ｂの単位時間当り送風量を庫温センサ１２ａ，１２ｂにより検出される庫温対応商品庫２ａ又は２ｂの庫内温度ｔｉに応じて変更するようにしたり、共通冷却器４ａでの霜付き発生がより明確に認められるほど単位時間当り送風量を増大側に変更する形態で、対象庫内ファン９ａ又は９ｂの単位時間当り送風量を適当な検出手段により検出される共通冷却器４ａでの霜付き発生状態に応じて変更するようにしてもよい。
【００５５】
前述の実施形態では、共通冷却器４ａが冷却運転状態にあるときにおいて、両庫未降温状態のときには、第１及び第２庫内ファン２ａ，２ｂの両方を単位時間当りの送風量が大きい庫内冷却促進モードで運転し、また、片庫降温状態のときには、第１及び第２庫内ファン２ａ，２ｂのうち高温側商品庫２ｂ又は２ａの庫内ファン９ｂ又は９ａを庫内冷却促進モードで運転するのに対し、低温側商品庫２ａ又は２ｂの庫内ファン９ａ又は９ｂを庫内冷却促進モードでの運転時よりも単位時間当りの送風量が小さい庫内冷却制限モードで運転するようにしたが、これに代え、片庫降温状態時における低温側商品庫２ａ又は２ｂでの収納商品の過冷及び共通冷却器４ａでの霜付きを防止するのに（図１又は図２参照）、共通冷却器４ａが冷却運転状態にあるときにおいて、両庫未降温状態のときには、第１及び第２庫内ファン９ａ，９ｂの両方を継続的に運転し、片庫降温状態のときには、第１及び第２庫内ファン９ａ，９ｂのうち高温側商品庫２ｂ又は２ａの庫内ファン９ｂ又は９ａを継続的に運転するのに対し、低温側商品庫２ａ又は２ｂの庫内ファン９ａ又は９ｂを適当な検出手段により検出される共通冷却器４ａでの霜付き発生時に限って限定的に運転するようにしてもよい。
【００５６】
第１及び第２商品庫２ａ，２ｂの両方の庫内を冷却する共通冷却器４ａは、蒸気圧縮式冷凍回路Ｒの蒸発器に限られるものではなく、種々の冷熱媒との熱交換により庫内空気を冷却する各種形式及び構造のものを使用できる。
【００５７】
第１商品庫２ａの庫内空気及び第２商品庫２ｂの庫内空気を個別に攪拌する第１及び第２庫内ファン９ａ，９ｂは、夫々、軸流ファンや多翼ファンを初め、どのうような形式のファンであってもよく、また、庫内空気の具体的な攪拌形態もどのようなものであってもよい。
【００５８】
前述の冷却庫温調制御及び庫内ファン制御において制御基準に用いる設定下限温度ｔｉ１及び設定上限温度ｔｉ２は、第１及び第２商品庫２ａ，２ｂの両方について必ずしも共通のものである必要はなく、各商品庫の収納商品などに応じて設定下限温度ｔｉ１や設定上限温度ｔｉ２を第１商品庫２ａと第２商品庫２ｂとで互いに異なるものにしてもよい。
【００５９】
本発明は、第１及び第２商品庫２ａ，２ｂの一方又は両方を冷却庫と加熱庫とに切り換え使用可能にする自動販売機、及び、第１及び第２商品庫２ａ，２ｂの両方を冷却専用庫とする自動販売機のいずれにも適用でき、また、第１及び第２商品庫２ａ，２ｂ以外の単数ないし複数の商品庫を備える自動販売機、及び、第１及び第２商品庫２ａ，２ｂのみを備える自動販売機のいずれにも適用できる。
【００６０】
第１及び第２商品庫２ａ，２ｂ夫々の庫内収納商品は、缶飲料やペットボトル飲料あるいは食料品に限らず、冷却保管が望ましいものであれば、どのようなものであってもよい。
【図面の簡単な説明】
【図１】実施形態を示す自動販売機の概略構成図
【図２】別実施形態を示す自動販売機の概略構成図
【符号の説明】
２ａ　　　　　　　第１商品庫
２ｂ　　　　　　　第２商品庫
４ａ　　　　　　　共通冷却器
９ａ　　　　　　　第１庫内ファン
９ｂ　　　　　　　第２庫内ファン
１５　　　　　　　制御手段
ｔｉ　　　　　　　庫内温度
ｔｉ１　　　　　　設定下限温度
ｔｉ２　　　　　　設定上限温度
【図１】
2004078355.tif 000003
【図２】
2004078355.tif 000004